(57)【特許請求の範囲】
【請求項１】
カムガイドと、このカムガイドに架設したガイドバーと、このガイドバー及びカムガイドに移動が案内されるようになっていると共に、加工工具を取り付ける取付面を有したカムスライドと、カムスライドを初期位置に向かって付勢する付勢手段と、カムスライドに当接してカムスライドを付勢手段の付勢力に抗して作動位置に向かって移動させるカムドライバと、カムスライドの取付面側に位置するガイドバーの一端部をカムスライドの移動方向に関して挿抜自在にカムガイドに固定する一端部固定手段と、ガイドバーの他端部をカムガイドに固定する他端部固定手段とを具備しており、ガイドバーは、カムスライドを貫通しており、一端部固定手段は、ガイドバーの一端部を受容するように、カムガイドに設けられた凹所と、この凹所の開口端面を閉塞するようにカムガイドに固着された閉塞板とを具備しており、閉塞板は、凹所を跨いだ位置においてねじによってカムガイドに固着されており、他端部固定手段は、ガイドバーの他端部に対する固定解除において、ガイドバーがカムスライドの移動方向に関して移動自在となると共に、カムスライドの移動方向に直交する方向に関してカムガイドからガイドバーを取り外すことができるように、ガイドバーの他端部が当接するカムガイドの端面と、ガイドバーの他端部及びカムガイドの端面を貫通してカムガイドに螺合したねじとを具備しているプレス用カム型。
【請求項２】
ガイドバーの一端部は断面矩形であって、凹所は、この断面矩形のガイドバーの一端部を隙間なしに受容するように、ガイドバーの一端部と相補的な形状を有している請求項１に記載のプレス用カム型。
【請求項３】
カムガイドは、基部と、この基部に一体的に且つ互いに対面して形成された前壁部及び後壁部とを具備しており、ガイドバーは、前壁部と後壁部との間に架設されており、付勢手段は、カムスライドを移動自在に貫通した棒状部材と、この棒状部材の一端部に取り付けられていると共に、カムガイドの前壁部に当接自在なばね受け部材と、棒状部材を囲繞すると共に、ばね受け部材及びカムスライドの間に装着されたコイルばねと、棒状部材の他端部に取り付けられていると共に、棒状部材のカムスライドからの抜け出しを防止する鍔部材とを具備しており、付勢手段は、カムガイドの後壁部とこの後壁部に対面する鍔部材の端面との間に、カムスライドの移動方向に関する隙間が生じるようにして、前壁部と後壁部との間に配されている請求項１又は２に記載のプレス用カム型。
【発明の詳細な説明】
【０００１】
【発明の属する技術分野】
本発明は、斜傾したカム面を有するカムを利用してプレス機械の下向き等の一方の方向の加圧力を、これと交差する横向き等の他方の方向の加圧力に変えて、穴明け、剪断、曲げ等の加工を行うプレス用カム型に関する。
【０００２】
【発明が解決しようとする課題】
カムスライドの移動をカムガイド及びガイドバーによって案内するようになっているこの種のプレス用カム型においては、その組立てに際して、通常、カムスライドに取り付けたピアスポンチ等の加工工具の位置決め後にカムスライド及び加工工具を一旦カムガイドから取り外し、カムスライドにノック孔を穿孔すると共にこのノック孔にノックピン等を打ち込んで、加工工具をカムスライドの位置決めされた部位に最終的に固定している。
【０００３】
斯かるプレス用カム型において、ガイドバーをカムガイドにねじ（ボルト）を介して固定して架設している場合には、このねじを緩めてカムガイドへのガイドバーの固定を解除し、しかる後に、カムスライドのカムガイドからの取り外しを行わざるを得ないのであるが、位置決め後の加工工具がカムスライドに取付いている状態では加工工具及びこの加工工具をカムスライドに取り付けるための工具取付具等が邪魔となって、ドライバーによるねじの緩め作業が極めて面倒となり、容易にカムスライドをカムガイドから取り外すことができない。
【０００４】
カムガイドからのカムスライドの取り外し作業の前に、加工工具をカムスライドから取り外すようにすると、カムスライドに対する加工工具の位置決め位置を予め罫書く等の煩雑な作業を必要とする上に、この罫書きにより誤差が発生する虞があり、また、この罫書きが正確になされないと位置決め作業が無駄になる虞もある。
【０００５】
本発明は、前記諸点に鑑みてなされたものであり、その目的とするところは、カムガイドからのカムスライドの取り外しを容易に行い得、位置決め後の加工工具をカムスライドから取り外す必要がなく、そのままの状態で加工工具をカムスライドに固定できる、分解、組立性に優れたプレス用カム型を提供することにある。
【０００６】
【課題を解決するための手段】
本発明の第一の態様のプレス用カム型は、カムガイドと、このカムガイドに架設したガイドバーと、このガイドバー及びカムガイドに移動が案内されるようになっていると共に、加工工具を取り付ける取付面を有したカムスライドと、カムスライドを初期位置に向かって付勢する付勢手段と、カムスライドに当接してカムスライドを付勢手段の付勢力に抗して作動位置に向かって移動させるカムドライバと、カムスライドの取付面側に位置するガイドバーの一端部をカムスライドの移動方向に関して挿抜自在にカムガイドに固定する一端部固定手段とを具備している。
【０００７】
第一の態様のプレス用カム型によれば、一端部固定手段がガイドバーの一端部をカムスライドの移動方向に関して挿抜自在にカムガイドに固定するようになっているために、カムガイドからのカムスライドの取り外し（分解）に際しては、一端部固定手段からガイドバーの一端部を抜き取ればよく、カムガイドへのカムスライドの取り付け（組立て）に際しては、一端部固定手段へガイドバーの一端部を挿入すればよく、而して、分解、組立性に優れ、しかも、カムガイドからのカムスライドの取り外しを容易に行い得、位置決め後の加工工具をカムスライドから取り外す必要がなく、そのままの状態で加工工具をカムスライドに固定できる。
【０００８】
一端部固定手段は、好ましくは、本発明の第二の態様のプレス用カム型のように、ガイドバーの一端部を受容するように、カムガイドに設けられた凹所と、この凹所の開口端面を閉塞するようにカムガイドに固着された閉塞板とを具備しているが、斯かる一端部固定手段に代えて、ガイドバーの一端部を受容するように、カムガイドにカムスライドの移動方向から穿孔して設けられた貫通孔又は有底孔を具備して固定手段を構成してもよく、一端部固定手段が斯かる貫通孔又は有底孔からなると、閉塞板を省略できる。
【０００９】
本発明の第三の態様のプレス用カム型では、第二の態様のプレス用カム型において、ガイドバーの一端部は断面矩形であって、凹所は、この断面矩形のガイドバーの一端部を隙間なしに受容するように、ガイドバーの一端部と相補的な形状を有している。
【００１０】
第三の態様のプレス用カム型によれば、ガイドバーの一端部でも、ガイドバーのその軸心を中心とした回転を防止することができる。
【００１１】
本発明の第四の態様のプレス用カム型では、第二又は第三の態様のプレス用カム型において、閉塞板は、凹所を跨いだ位置においてねじによってカムガイドに固着されている。
【００１２】
本発明の第五の態様のプレス用カム型は、第一から第四のいずれかの態様のプレス用カム型において、ガイドバーの他端部をカムガイドに固定する他端部固定手段を具備しており、ここで、他端部固定手段は、ガイドバーの他端部に対する固定解除において、ガイドバーがカムスライドの移動方向に関して移動自在となると共に、カムスライドの移動方向に直交する方向に関するカムガイドからガイドバーを取り外すことができるように、なっている。
【００１３】
本発明の第六の態様のプレス用カム型では、第五の態様のプレス用カム型において、他端部固定手段は、ガイドバーの他端部が当接するカムガイドの端面と、ガイドバーの他端部及びカムガイドの端面を貫通してカムガイドに螺合したねじとを具備している。
【００１４】
本発明の第七の態様のプレス用カム型では、第一から第六のいずれかの態様のプレス用カム型において、カムガイドは、基部と、この基部に一体的に且つ互いに対面して形成された前壁部及び後壁部とを具備しており、ガイドバーは、前壁部と後壁部との間に架設されており、付勢手段は、カムスライドを移動自在に貫通した棒状部材と、この棒状部材の一端部に取り付けられていると共に、カムガイドの前壁部に当接自在なばね受け部材と、棒状部材を囲繞すると共に、ばね受け部材及びカムスライドの間に装着されたコイルばねと、棒状部材の他端部に取り付けられていると共に、棒状部材のカムスライドからの抜け出しを防止する鍔部材とを具備しており、付勢手段は、カムガイドの後壁部とこの後壁部に対面する鍔部材の端面との間に、カムスライドの移動方向に関する隙間が生じるようにして、前壁部と後壁部との間に配されている。
【００１５】
以下本発明及びその実施の形態を、図面に示す好ましい例に基づいて説明する。尚、本発明はこれらの例に何等限定されないのである。
【００１６】
【発明の実施の形態】
図１から図３において、本例のプレス用カム型１は、カムガイド２と、カムガイド２に架設したガイドバー３と、ガイドバー３及びカムガイド２にＡ方向の移動が案内されるようになっていると共に、加工工具としてのピアスポンチ４を工具取付具５を介して取り付ける取付面６を有したカムスライド７と、カムスライド７を初期位置（図１の位置）に向かって付勢する付勢手段８と、カムスライド７に当接してカムスライド７を付勢手段８の付勢力に抗して作動位置（図４の位置）に向かって移動させるカムドライバ９と、カムスライド７の取付面６側に位置するガイドバー３の一端部１０をカムスライド７の移動方向Ａに関して挿抜自在にカムガイド２に固定する一端部固定手段１１と、ガイドバー３の他端部１２をカムガイド２に固定する他端部固定手段１３とを具備している。
【００１７】
カムガイド２は、基部２１と、基部２１の両端部に一体的に且つ互いに対面して形成された前壁部２２及び後壁部２３と、基部２１にねじ２４により固着されたウェアープレート２５とを具備しており、基部２１に穿設された貫通孔２６及び２７に挿入されるねじ等により、カムガイド２は、例えばプレスの下型に固定される。
【００１８】
ガイドバー３は、断面矩形の一端部１０と、断面山形矩形の他端部１２と、一端部１０と他端部１２との間に位置した断面円形の円柱部３１とを一体的に有しており、カムスライド７の貫通孔３２を貫通して配されており、貫通孔３２においてガイドバー３の円柱部３１とカムスライド７との間には、好ましくは固体潤滑材を埋設したブッシュ軸受３３及び３４がカムスライド７に固着されて設けられている。
【００１９】
カムガイド２の基部２１上にＡ方向に移動自在に配されたカムスライド７は、取付面６及び貫通孔３２に加えて凹所４１及び４２を有した本体４３と、本体４３の下面にねじ等により取り付けられていると共に、ウェアープレート２５にＡ方向に摺動自在に接触するウェアープレート４４と、本体４３の傾斜面４５にねじ等により取り付けられてカム面４７を構成するウェアープレート４６とを具備している。
【００２０】
付勢手段８は、凹所４１及び４２を通ってカムスライド７の本体４３をＡ方向に移動自在に貫通した円柱状の棒状部材５１と、棒状部材５１の一端部５２にねじ５３により取り付けられていると共に、カムガイド２の前壁部２２に当接自在なばね受け部材５４と、棒状部材５１を囲繞すると共に、ばね受け部材５４及び凹所４１におけるカムスライド７の本体４３の間に装着されて、付勢力としての弾性力を発生するコイルばね５５と、棒状部材５１の他端部５６に一体的に取り付けられていると共に、棒状部材５１の本体４３からの抜け出しを防止する鍔部材５７と、他端部５６に取り付けられたゴム材からなる環状の衝撃吸収部材５８とを具備しており、斯かる付勢手段８は、カムガイド２の後壁部２３と後壁部２３に対面する鍔部材５７の端面５９との間に、カムスライド７の移動方向Ａに関する隙間６０が生じるようにして、前壁部２２と後壁部２３との間に配されている。
【００２１】
カムドライバ９は、下部６１がガイドバー３を跨ぐように二股形状になっている本体６２と、本体６２の傾斜面６３にねじ等により取り付けられていると共に、カム面４７に当接して摺動するウェアープレート６４と、ウェアープレート６４の外面と面一の本体６２の摺動面６８とを具備しており、カム面６７は、ウェアープレート６４の外面と摺動面６８とからなっており、本体６２に穿設された貫通孔６５及び６６に挿入されるねじ等により、カムドライバ９は、例えばプレスの上型に固定される。
【００２２】
カムドライバ９は、Ａ方向と直交するＢ方向の移動によりカム面６７及び４７で相互に面接触するウェアープレート６４及び４６を介してカムスライド７をカムガイド２の基部２１上で当該カムガイド２及びガイドバー３による案内と共にＡ方向に移動させる。
【００２３】
一端部固定手段１１は、ガイドバー３の一端部１０を受容するように、カムガイド２の前壁部２２に設けられた断面矩形の凹所７１と、凹所７１の上方開口端面を閉塞するようにカムガイド２の前壁部２２にねじ７２及び７３により固着された閉塞板７４とを具備しており、凹所７１は、断面矩形のガイドバー３の一端部１０を隙間なしに受容するように、ガイドバー３の一端部１０と相補的な形状を有しており、閉塞板７４は、凹所７１を跨いだ位置においてねじ７２及び７３によってカムガイド２の前壁部２２に固着されている。
【００２４】
他端部固定手段１３は、ガイドバー３の他端部１２が当接すると共に当該他端部１２が嵌合される凹所８３を規定するカムガイド２の後壁部２３の端面８１と、ガイドバー３の他端部１２及び後壁部２３の端面８１を貫通してカムガイド２の後壁部２３に螺合したねじ８２とを具備しており、ガイドバー３の他端部１２に対する固定解除において、ガイドバー３がカムスライド７の移動方向Ａに関して移動自在となると共に、カムスライド７の移動方向Ａに直交する方向Ｂに関してカムガイド２の後壁部２３からガイドバー３の他端部１２を取り外すことができるようになっている。
【００２５】
尚、本例では、図２及び図３からも明らかであるように、カムガイド２、カムスライド７及びカムドライバ９はその横幅が全て同じになるように形成されている。
【００２６】
以上のプレス用カム型１では、初期位置では図１に示すように上型に固定されたカムドライバ９は上方に位置され、カムスライド７は、付勢力としてのコイルばね５５の弾性伸張力により下型に固定されたカムガイド２の基部２１の左方に位置されており、プレス機械のラムの作動と共にカムドライバ９は、先ずカムドライバ９の摺動面６８が、続いてウェアープレート６４の外面がカムスライド７のウェアープレート４６と夫々摺接しながら下降される。カムドライバ９の下降でカムスライド７は、ウェアープレート４６をカムドライバ９のウェアープレート６４で押圧されてＡ方向において前方に、即ち図４に示す作動位置に向かってコイルばね５５を押圧しつつ移動される。この移動中、ウェアープレート４４がウェアープレート２５と摺接すると共に、ブッシュ軸受３３及び３４の内面がガイドバー３の円柱部３１の表面と摺接する結果、カムスライド７はカムガイド２及びガイドバー３に案内されて図４に示す作動位置に向かって移動される。カムスライド７の前進作動によりピアスポンチ４で被加工物に加工が施される。
【００２７】
しかる後、プレス機械のラムの作動と共にカムドライバ９が上方へ移動されると、カムスライド７は、コイルばね５５の弾性伸張力により初期位置に復帰せしめられ、次にカムドライバ９の下降で再び前進させられる。
【００２８】
そして、プレス用カム型１では、初期位置でのカムガイド２からのカムスライド７の取り外し（分解）に際しては、図１及び図２に示すようにねじ７２及び７３の上方にピアスポンチ４及び工具取付具５が位置して、ねじ７２及び７３をドライバーにより緩め難いのであるが、一端部固定手段１１がガイドバー３の一端部１０をカムスライド７の移動方向Ａに関して挿抜自在にカムガイド２の前壁部２２に固定しているために、ねじ７２及び７３を特に緩めなくても、ねじ８２を緩めて取り外して他端部固定手段１３によるガイドバー３の他端部１２の固定を解除した後に、一端部固定手段１１の凹所７１からガイドバー３の一端部１０をＡ方向に抜き取ることができ、また、一端部固定手段１１の凹所７１へガイドバー３の一端部１０を挿入することにより、カムガイド２へのカムスライド７の取り付け（組立て）を行うことができ、而して、カムガイド２からのカムスライド７の取り外しを容易に行い得、位置決め後のピアスポンチ４及び工具取付具５をカムスライド７から取り外す必要がなく、そのままの状態でピアスポンチ４をカムスライド７にノックピンの打ち込み等により最終的に固定でき、優れた分解、組立性を有する。
【００２９】
【発明の効果】
本発明によれば、カムガイドからのカムスライドの取り外しを容易に行い得、位置決め後の加工工具をカムスライドから取り外す必要がなく、そのままの状態で加工工具をカムスライドに固定できる、分解、組立性に優れたプレス用カム型を提供することができる。
【図面の簡単な説明】
【図１】本発明の好ましい例の正面断面図である。
【図２】図１に示す例の右側面図である。
【図３】図１に示す例の左側面図である。
【図４】図１に示す例の動作説明図である。
【符号の説明】
１  プレス用カム型
２  カムガイド
３  ガイドバー
７  カムスライド
８  付勢手段
９  カムドライバ
１０  一端部
１１  一端部固定手段
【図１】
0003843725.tif 000002
【図２】
0003843725.tif 000003
【図３】
0003843725.tif 000004
【図４】
0003843725.tif 000005